(57)【要約】【課題】本発明は、杭用引抜き装置に関し、例えば、高さ制限や狭小スペース等の制限のある作業場所であっても、支障なく杭の引抜きができるようにすることが課題である。【解決手段】地盤に埋設された杭を引き抜く装置において、地上側の支圧手段に吊持される第一チャック１ａと第二チャック１ｂとが設けられ、前記第一チャック１ａと第二チャック１ｂとには、杭の周壁面にチャック部材を押しつけて杭を掴持するチャック手段１ｄがそれぞれ設けられ、前記第一チャック１ａが昇降用シリンダーを介して吊持され、前記第二チャック１ｂが前記第一チャック１ａの下位置で前記支圧手段（４，４ａ）に連結棒を介して吊持されてなる杭用引抜き装置１とする。【選択図】図１
2018003489.tif 000002
【特許請求の範囲】
【請求項１】
地盤に埋設された杭を引き抜く装置において、
地上側の支圧手段に吊持される第一チャックと第二チャックとが設けられ、
前記第一チャックと第二チャックとには、杭の周壁面にチャック部材を押しつけて杭を掴持するチャック手段がそれぞれ設けられ、
前記第一チャックが昇降用シリンダーを介して吊持され、
前記第二チャックが前記第一チャックの下位置で前記支圧手段に連結棒を介して吊持されてなること、
を特徴とする杭用引抜き装置。
【請求項２】
支圧手段には、少なくとも杭を上に貫通させる孔が設けられていること、
を特徴とする請求項１に記載の杭用引抜き装置。
【請求項３】
チャック手段のチャック部材は、杭の半径方向に進入して杭の周壁面に当接し掴持すべく、前記杭の直径が範囲内の大小に対応できるように、支持軸を中心にして杭の半径方向に回動するものであること、
を特徴とする請求項１または２に記載の杭用引抜き装置。
【請求項４】
請求項１乃至３のいずれか１項に記載の杭用引抜き装置を形成し、以下の
ａ）杭の頭部に第一チャックを掴持させ、第二チャックは掴持解除状態にして、昇降用シリンダーで前記第一チャックを上げて杭を引き抜く、杭引抜き工程と、
ｂ）前記引き上げた杭を第二チャックで掴持して、前記第一チャックをその掴持作用を解除させるとともに前記昇降用シリンダーで降下させる、杭保持工程とがあり、
前記杭引抜き工程と前記杭保持工程とを繰り返して、地盤に埋設された杭を引き抜くこと、
を特徴とする杭の引抜き方法。
【発明の詳細な説明】
【技術分野】
【０００１】
本発明は、地盤に埋設された杭を、高さ制限があったりスペースの制限があったりする環境であっても、支障なく杭を引抜くことができる杭用引抜き装置と杭の引抜き方法に関するものである。
【背景技術】
【０００２】
従来、地盤に埋設されたＨ鋼・コンクリート杭などの杭を引抜くには、ワイヤーの引張力を多滑車にて増大させて杭を引き抜き、地上で回収するものである。例えば、特許文献１に記載されているような、杭施工機が知られている。この杭施工機は、リーダに取り付けられたオーガマシンと、リーダ基部との間に、滑車を介してワイヤーが巻き掛けられ、これを絞り込む機構を具備する杭施工機において、ウエイトがワイヤーの途中部分に昇降自在に吊持され、ウエイトの高さを第一基準位置で検知するリミットスイッチと、ウインチドラムの回転速度を制御する制御装置とを備えるものである。
【先行技術文献】
【特許文献】
【０００３】
【特許文献１】特開２０１０−１９６３７１号公報
【発明の概要】
【発明が解決しようとする課題】
【０００４】
しかし、従来において、杭を引抜く作業箇所が、高速道路や橋の下、高圧電線などの高さに制限のある箇所、または、スペースが狭くて大型クレーンが進入できない作業箇所では、杭抜き機が使用できないという課題がある。
【０００５】
また、ワイヤーを杭に巻き付けて引抜くので、ワイヤーの切断、滑り落ち等があり、人が穴の中に入らなければならないので事故が絶えず、危険であることから、人と作業における安全性の確保が課題である。本発明に係る杭用引抜き装置と杭の引抜き方法は、このような課題を解決するために提案されたものである。
【課題を解決するための手段】
【０００６】
本発明に係る杭用引抜き装置の上記課題を解決して目的を達成するための要旨は、地盤に埋設された杭を引き抜く装置において、地上側の支圧手段に吊持される第一チャックと第二チャックとが設けられ、前記第一チャックと第二チャックとには、杭の周壁面にチャック部材を押しつけて杭を掴持するチャック手段がそれぞれ設けられ、前記第一チャックが昇降用シリンダーを介して吊持され、前記第二チャックが前記第一チャックの下位置で前記支圧手段に連結棒を介して吊持されてなることである。
【０００７】
前記支圧手段には、少なくとも杭を上に貫通させる孔が設けられていることである。
【０００８】
前記チャック手段のチャック部材は、杭の半径方向に進入して杭の周壁面に当接し掴持すべく、前記杭の直径が範囲内の大小に対応できるように、支持軸を中心にして杭の半径方向に回動するものである。
【０００９】
本発明に係る杭の引抜き方法の上記課題を解決して目的を達成するための要旨は、上記本発明に係る杭用引抜き装置を形成し、以下の  ａ）杭の頭部に第一チャックを掴持させ、第二チャックは掴持解除状態にして、昇降用シリンダーで前記第一チャックを上げて杭を引き抜く、杭引抜き工程と、ｂ）前記引き上げた杭を第二チャックで掴持して、前記第一チャックをその掴持作用を解除させるとともに前記昇降用シリンダーで降下させる、杭保持工程とがあり、前記杭引抜き工程と前記杭保持工程とを繰り返して、地盤に埋設された杭を引き抜くことである。
【発明の効果】
【００１０】
本発明に係る杭用引抜き装置と杭用引抜き装置の引抜き方法によれば、背の高い、若しくは、大型である杭用引抜き装置では、高さ制限・狭いスペースでの制限があって、引抜き作業が不可能な作業箇所においても、杭を引き抜くことができるようになる。
また、地盤の穴の中に人が入り、作業を行う必要が無いので、杭の引抜き作業における安全性が確保されるという優れた効果を奏するものである。
【図面の簡単な説明】
【００１１】
【図１】本発明に係る杭用引抜き装置１における、使用状態の平面図（Ａ）、同じく側方縦断面図（Ｂ）である。
【図２】同本発明に係る杭用引抜き装置１の一部において、チャック手段１ｄが開いた状態の拡大詳細平面図（Ａ）、チャック手段１ｄが閉じた状態の拡大詳細平面図（Ｂ）である。
【図３】同本発明に係る杭用引抜き装置１で、杭の引抜き方法を説明する説明図（１），（２），（３），（４）である。
【発明を実施するための形態】
【００１２】
本発明に係る杭用引抜き装置１は、図１（Ａ），（Ｂ）に示すように、埋設された杭３を掴持するとともに、上昇手段で上昇・降下する第一チャック１ａと、杭を掴持するだけの第二チャック１ｂとにより、埋設された杭３を引き抜くものである。
【実施例１】
【００１３】
本発明に係る杭用引抜き装置１の構成は、図１乃至図２に示すように、地上側の支圧手段である支圧板４・昇降支持板４ａに吊持される、第一チャック１ａと第二チャック１ｂとが設けられている。
【００１４】
前記第一チャック１ａと第二チャック１ｂとには、杭３の周壁面にチャック部材１ｈを押しつけて、前記杭３を掴持するチャック手段１ｄがそれぞれ設けられている。
【００１５】
前記第一チャック１ａが昇降用シリンダー７を介して昇降支持板４ａに吊持されている。前記昇降用シリンダー７は、基部がブラケット７ａを介して昇降上板８に回動自在に連結されている。また、前記シリンダー７のロッド７ｃの端部が、ブラケット７ｂに回動自在に連結され、該ブラケット７ｂを介して昇降支持板４ａの下面に連結されている。
【００１６】
前記第一チャック１ａは、昇降上板８と昇降下板８ａとの間で、杭３の周囲に３箇所、若しくは、４箇所に均等配置で設けられる。
【００１７】
前記第二チャック１ｂが、図１（Ｂ）に示すように、前記第一チャック１ａの下位置に配置され、前記支圧手段である支圧板４、昇降支持板４ａに、連結棒６を介して吊持されている。
【００１８】
前記支圧手段である支圧板４、昇降支持板４ａには、少なくとも杭３を上に貫通させる孔４ｂが設けられている。また、前記昇降支持板４ａは、前記支圧板４の下で、地盤２に直接敷設された金属製のベース材５の上に敷設されている。
【００１９】
チャック手段１ｄのチャック部材１ｈは、図２（Ａ），（Ｂ）に示すように、杭３の半径方向の外側から内側へと進入して、杭３の周壁面に当接し掴持すべく、前記杭３の直径が、例えば任意の範囲内の大小の相違に対応できるように、支持軸１ｋを中心にして杭３の半径方向に回動するものである。
【００２０】
前記チャック手段１ｄは、図２に示すように、チャック用シリンダー１ｅと、このシリンダー１ｅの基部を回動自在に支持する回動支持部１ｆ、シリンダー１ｅのロッド１ｊの先端部に連結されるリンク１ｇ、該リンク１ｇが支持軸１ｋを中心にして揺動する際に、該リング１ｇと一体になって前記支持軸１ｋを中心にして揺動するチャック部材１ｈと、で構成されている。このチャック手段１ｄが、図２に示すように、周方向に均等配置で３箇所で昇降下板８ａの上に設けられている。
【００２１】
図２（Ａ）に示すように、シリンダー１ｅが作動していない状態で、チャック部材１ｈが、杭３の半径方向で外側に回転した開いた状態となり、この場合、３個のチャック部材１ｈに内接する杭径φ１の最大で、φ１＝約１０００ｍｍ程度になる。
【００２２】
また、図２（Ｂ）に示すように、前記シリンダー１ｅを作動させロッド１ｊを最大に伸長させた閉じた状態で、杭径φ１がφ１＝約３５０ｍｍ程度になる。このように、チャック部材１ｈの半径方向の内側・外側への回動により、杭３の直径が、ある範囲内でその大小が相違しても、杭３を引抜くことができるものである。
【００２３】
前記連結棒６は、前記第二チャック１ｂを前記支圧板４に吊持させる棒材であり、図１（Ｂ）に示すように、保持用上板９，保持用下板９ａと連結して前記昇降支持板４ａと支圧板４に貫通して上に突出し、その連結棒６の端部にダブルナット６ａで締結している。この連結棒６は、周方向に例えば、４箇所、若しくはそれ以上の所要本数にして、設けられている。
【００２４】
前記昇降上板８は、第一チャック１ａを昇降下板８ａとで上下で挟んで保持しており、その間を、回動支持部１ｆで連結している。また、前記保持用上板９と保持用下板９ａとで、第二チャック１ｂを上下で挟んで支持していて、前記昇降上板８，昇降下板８ａの外形よりも大きな寸法の外形となっている。なお、これらの外形状は丸形でも矩形状でも良い。
【００２５】
前記昇降下板９ａの下には、地盤の穴２ａの底に敷設された金属製の捨板１ｃがある。
【００２６】
以下、前記杭用引抜き装置１を形成してそれを使用した、前記杭３の引抜き方法について説明する。図３は、例えば、高速道路・橋などの下で、作業高さＬが約４９００ｍｍ程度で制限される場合に、杭３を引抜くものである。
【００２７】
図３（１）に示すように、杭３の頭部３ａに対して、第一チャック１ａを、シリンダー１ｅのロッド１ｊを伸長させて、掴持させる。その際に、第二チャック１ｂは、チャック部材１ｈを開いた状態にし、掴持解除状態にしておく。
【００２８】
次に、図３（２）に示すように、昇降支持板４ａに反力を取って、昇降用シリンダー７においてそのロッド７ｃを縮退させることで、前記第一チャック１ａを上げて杭３を引き抜く。これが杭引抜き工程である。
【００２９】
前記第一チャック１ａによる杭３の引抜きが、昇降用シリンダー７で所定の高さに到達したことで完了すると、前記第二チャック１ｂにおいてチャック手段１ｄのチャック用シリンダー１ｅを駆動させて、そのチャック部材１ｈで杭３を掴持する。
【００３０】
その後、前記第一チャック１ａにおいて、チャック手段１ｄによる掴持作用を解除する。それには、チャック用シリンダー１ｅでロッド１ｊを縮退させて、チャック部材１ｈを半径方向の外側へ回動させるものである。
【００３１】
前記第一チャック１ａを、図３（３）に示すように、昇降用シリンダー７を駆動させて、そのロッド７ｃを伸長させることで、降下させる。すると、図３（１）に示した最初の状態に戻る。これまでが、杭保持工程である。
【００３２】
次に、図３（４）に示すように、降下した第一チャック１ａにおいてチャック手段１ｄによって杭３を掴持させ、前記第二チャック１ｂの掴持作用を解除して、昇降用シリンダー７を駆動させてロッド７ｃを縮退させ、第一チャック１ａを引き上げることで、杭３を引抜くものである。このように、杭引抜き工程と杭保持工程とを繰り返して、杭３を地盤から引抜く、杭の引抜き方法とするものである。このように、地上側では、支圧手段の支圧板４と昇降支持板４ａがあるだけで、杭用引抜き装置１の地上での背が低く、作業箇所において高さ制限があっても、引抜き作業に支障が無いものである。
【産業上の利用可能性】
【００３３】
本発明に係る杭用引抜き装置１は、地上の作業高さに制限がある場合、スペース的に大型の機械が進入できない等の制限がある場合においても、杭を少しずつ引き抜くことで、杭の引抜き作業が可能となり、作業場所を選ばないものである。
【符号の説明】
【００３４】
１          杭用引抜き装置、              １ａ      第一チャック、
１ｂ        第二チャック、                １ｃ      捨板、
１ｄ        チャック手段、                １ｅ      チャック用シリンダー、
１ｆ        回動支持部、                  １ｇ      リンク、
１ｈ        チャック部材、                １ｊ      ロッド、
１ｋ        支持軸、                      １ｍ      連結部、
２          地盤、                        ２ａ      穴、  
３          杭、                          ３ａ      頭部、
４          支圧板、                      ４ａ      昇降支持板、
４ｂ        穴、
５          ベース材、    
６          連結棒、                      ６ａ      ダブルナット、      
７          昇降用シリンダー、            ７ａ      ブラケット、
７ｂ        ブラケット、                  ７ｃ      ロッド、
８          昇降上板、                    ８ａ      昇降下板、
９          保持用上板、                  ９ａ      保持用下板。
【図１】
2018003489.tif 000003
【図２】
2018003489.tif 000004
【図３】
2018003489.tif 000005